(57)【特許請求の範囲】
【請求項１】
押し花の上下面を覆うことができる両側部に折り曲げ部が形成された透明あるいは半透明シート材で形成された少なくとも２枚以上の保護シートと、この少なくとも２枚以上の保護シートを内部に収納することができる２つ折り状で、少なくとも両面の中央部が透明シートに形成されたホルダーと、このホルダーを収納することができる防湿透明シート材で開口部に密封可能なチャックが形成された密封袋とからなることを特徴とする押し花保管袋。
【請求項２】
押し花の上下面を覆うことができる両側部に折り曲げ部が形成された透明あるいは半透明シート材で形成された少なくとも２枚以上の保護シートと、この少なくとも２枚以上の保護シートを内部に収納することができる２つ折り状の透明材製のホルダーと、このホルダーを収納することができる防湿透明シート材で開口部に密封可能なチャックが形成された密封袋とからなることを特徴とする押し花保管袋。
【請求項３】
押し花の上下面を覆うことができる両側部に折り曲げ部が形成された透明あるいは半透明シート材で形成された保護シートと、この保護シートを内部に収納することができる２つ折り状で、少なくとも一方の中央部が透明シートで形成されたホルダーと、このホルダーを収納することができる防湿透明シート材で開口部に密封可能なチャックが形成された密封袋とからなることを特徴とする押し花保管袋。
【発明の詳細な説明】
【０００１】
【発明の属する技術分野】
本発明は押し花を保管しておく場合に使用する押し花保管袋に関する。
【０００２】
【従来の技術】
従来の押し花保管袋は厚紙を２つ折りにして、表面の中央部を透孔にして透明シート材で覆った内部に押し花を収納するホルダーと、このホルダーを収納することができる防湿透明シート材で開口部に密封可能なチャックが形成された密封袋とで構成されている。
【０００３】
【発明が解決しようとする課題】
従来の押し花保管袋は２つ折りに形成されたホルダーを用いているので、押し花を収納した状態ではホルダーの表紙と裏表紙とで押し花を挟んだ状態になっているため、密封袋内にホルダーを収納する場合に、ホルダーより押し花がはみ出したり、脱落したりする不具合が生じるとともに、ホルダーに収納した押し花がバラけたり、絡み付いたりするという欠点があった。
【０００４】
本発明は以上のような従来の欠点に鑑み、密封袋内への出し入れ時にホルダー内に収納された押し花がはみ出したり、バラけたり、絡み付いたりすることなく行なうことができるとともに、内部に収納された押し花を外部より確認することができる押し花保管袋を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は押し花の上下面を覆うことができる両側部に折り曲げ部が形成された透明あるいは半透明シート材で形成された少なくとも２枚以上の保護シートと、この少なくとも２枚以上の保護シートを内部に収納することができる２つ折り状で、少なくとも両面の中央部が透明シートに形成されたホルダーと、このホルダーを収納することができる防湿透明シート材で開口部に密封可能なチャックが形成された密封袋とで押し花保管袋を構成している。
【０００７】
【発明の実施の形態】
以下、図面に示す実施の形態により、本発明を詳細に説明する。
【０００８】
図１ないし図９に示す本発明の第１の実施の形態において、１は押し花を保管する場合に使用する本発明の押し花保管袋で、この押し花保管袋１は押し花の上下面を覆うことができる両側部に折り曲げ部２、２が形成された透明あるいは半透明シート材で形成された少なくとも２枚以上、本発明の実施の形態では２枚の保護シート３、３と、この保護シート３、３を内部に収納することができる２つ折り状で、少なくとも表表紙、裏表紙の中央部が透明シート４、４で形成されたホルダー５と、このホルダー５や必要に応じて脱酸素剤６や乾燥材７を収納することができる防湿透明シート材で、開口部８に密封可能なチャック９が形成された密封袋１０とで構成されている。
【０００９】
前記保護シート３は図６に示すように、長方形状のトレシングペーパーのほぼ４分の１部位が両側部となるように折り曲げ、両側端部が中央部でわずかに重なるカバー１１、１１となるように形成するとともに、角部１２、１２、１２、１２、１２、１２、１２、１２をそれぞれ弧状となるように面取りしたものが使用されている。
【００１０】
前記ホルダー５は図７に示すように、厚紙を２つ折りした角部１３、１３、１３、１３、１３、１３、１３、１３が弧状となるように取り付けられたホルダー本体１４と、このホルダー本体１４の表表紙１４ａおよび裏表紙１４ｂの中央部に形成された透孔１５、１５と、この透孔１５、１５を覆うように前記ホルダー本体１４の表表紙１４ａおよび裏表紙１４ｂ部に接着剤等によって固定された透明シート４、４とで構成されている。
なお、このホルダー５は透明あるいは半透明のプラスチックシート材を２つ折りしたものを用いてもよい。
【００１１】
前記密封袋１０は、２枚の保護シート３、３とホルダー５とが収納されて密封されるものと、図８に示すように、防湿透明シート材を２枚重ねて周囲を融着等によって固定した密封袋本体１６と、この密封袋本体１６の開口部８となる部位に該開口部８を密封することができるチャック９と、このチャック９と融着等によって固定された部位との間に使用時にハサミ等で切断する切断用ライン１７とで構成されている。
【００１２】
上記構成の押し花保管袋１は、使用時に密封袋１０の切断用ライン１７部位をハサミ等で切断し、チャック９を外して開口部８を開放して、内部に収納されているホルダー５と保護シート３、３とを取り出し、保護シート３、３を開放し、図９に示すように和紙１８等の上で作られた押し花１９を和紙１８等と一緒に収納する。
しかる後、押し花１９が収納された保護シート３、３をホルダー５内に挟むように収納した後、密封袋１０の開口部８より内部に収納し、該密封袋１０内に脱酸素剤６や乾燥剤７を収納して内部の空気を抜いた後、チャック９を閉じて密封状態にする。
この状態では保護シート３、３内に収納された押し花１９、１９は、該保護シート３、３、ホルダー５の透明シート４、４および密封袋１０を介して外部より確認することができる。
【００１３】
【発明の異なる実施の形態】
次に、図１０ないし図１７に示す本発明の異なる実施の形態につき説明する。
なお、これらの本発明の異なる実施の形態の説明に当って、前記本発明の第１の実施の形態と同一構成部分には同一符号を付して重複する説明を省略する。
【００１４】
図１０ないし図１２に示す本発明の第２の実施の形態において、前記本発明の第１の実施の形態と主に異なる点は、一方のカバー１１ａが小さな幅寸法で、他方のカバー１１ｂが大きな幅寸法となるように形成された保護シート３Ａ、３Ａと、乾燥シート２０をホルダー５内に位置させた点で、このように構成された押し花保管袋１Ａにしても、前記本発明の第１の実施の形態と同様な作用効果が得られる。
【００１５】
図１３ないし図１５に示す本発明の第３の実施の形態において、前記本発明の第１の実施の形態と主に異なる点は、表表紙１４ａ部にだけ透孔１５を形成して透明シート４で覆ったホルダー５Ａを密封袋１０内に２個収納した点で、このように構成した押し花保管袋１Ｂにしても、前記本発明の第１の実施の形態と同様な作用効果が得られる。
【００１６】
図１６および図１７に示す本発明の第４の実施の形態において、前記本発明の第３の実施の形態と主に異なる点は、密封袋１０内に１個のホルダー５Ａと１枚の保護シート３を収納した点で、このように構成した押し花保管袋１Ｃにしても前記本発明の第３の実施の形態と同様な作用効果が得られる。
【００１７】
【発明の効果】
以上の説明から明らかなように、本発明にあっては次に列挙する効果が得られる。
【００１８】
（１）押し花の上下面を覆うことができる両側部に折り曲げ部が形成された透明あるいは半透明シート材で形成された少なくとも２枚以上の保護シートと、この少なくとも２枚以上の保護シートを内部に収納することができる２つ折り状で、少なくとも両面の中央部が透明シートに形成されたホルダーと、このホルダーを収納することができる防湿透明シート材で開口部に密封可能なチャックが形成された密封袋とで構成されているので、押し花を保護シート内に収納した後、ホルダー内に挟む状態で収納して密封袋内へ収納することができる。
したがって、従来のようにホルダーより収納した押し花が密封袋内へ収納中に両側部より出てきて、押し花を損傷させたりする不具合を確実に防止することができる。
【００１９】
（２）前記（１）によって、密封袋内に収納保管した押し花を密封袋、ホルダーの透明シートおよび保護シートを介して確認することができる。
したがって、密封袋に収納した押し花のメモ等を付さなくても、容易に収納保管した押し花を外部より確認することができる。
【００２０】
（３）前記（１）によって、押し花を保護シート内に収納するので、保護シート内に収納された押し花は保護シートを持って取り扱うことができる。
したがって、押し花使用時以外は押し花を直接持たなくてもよく、押し花の損傷を効率よく防止することができるとともに、従来より作業性が良く、押し花の整理が容易にできる。
【００２１】
（４）前記（１）によって、２枚以上の保護シートと表面、裏面の中央部が透明シートで形成されたホルダーによって、２枚の保護シートに収納された押し花を外部より確認することができる。
したがって、押し花の収納保管をどの押し花が保管されているかを外部から確認できるように、効率よく行なうことができる。
【図面の簡単な説明】
【図１】本発明の第１の実施の形態の使用状態の正面図。
【図２】本発明の第１の実施の形態の使用状態の背面図。
【図３】本発明の第１の実施の形態の正面図。
【図４】図３の４−４線に沿う断面図。
【図５】本発明の第１の実施の形態の分解斜視図。
【図６】本発明の第１の実施の形態の保護シートの説明図。
【図７】本発明の第１の実施の形態のホルダーの説明図。
【図８】本発明の第１の実施の形態の密封袋の説明図。
【図９】本発明の第１の実施の形態の保護シートに押し花を収納する説明図。
【図１０】本発明の第２の実施の形態の分解斜視図。
【図１１】本発明の第２の実施の形態の保護シートの説明図。
【図１２】本発明の第２の実施の形態の保護シートに押し花を収納する説明図。
【図１３】本発明の第３の実施の形態の分解斜視図。
【図１４】本発明の第３の実施の形態のホルダーの説明図。
【図１５】本発明の第３の実施の形態の使用状態の説明図。
【図１６】本発明の第４の実施の形態の分解斜視図。
【図１７】本発明の第４の実施の形態の使用状態の説明図。
【符号の説明】
１、１Ａ、１Ｂ、１Ｃ：押し花保管袋、
２：折り曲げ部、        ３、３Ａ：保護シート、
４：透明シート、        ５、５Ａ：ホルダー、
６：脱酸素剤、          ７：乾燥剤、
８：開口部、            ９：チャック、
１０：密封袋、          １１：カバー、
１２：角部、            １３：角部、
１４：ホルダー本体、    １５：透孔、
１６：密封袋本体、      １７：切断用ライン、
１８：和紙、            １９：押し花、
２０：乾燥シート。
【図１】
0004614514.tif 000002
【図２】
0004614514.tif 000003
【図３】
0004614514.tif 000004
【図４】
0004614514.tif 000005
【図５】
0004614514.tif 000006
【図６】
0004614514.tif 000007
【図７】
0004614514.tif 000008
【図８】
0004614514.tif 000009
【図９】
0004614514.tif 000010
【図１０】
0004614514.tif 000011
【図１１】
0004614514.tif 000012
【図１２】
0004614514.tif 000013
【図１３】
0004614514.tif 000014
【図１４】
0004614514.tif 000015
【図１５】
0004614514.tif 000016
【図１６】
0004614514.tif 000017
【図１７】
0004614514.tif 000018